(57)【特許請求の範囲】
【請求項１】
ベニヤレースの刃口部の刃口構造であって、それらの間にナイフ保持部（６）とノーズバー保持部（４）とが取り付けられた鉋台（８）を有し、前記両保持部がそれぞれ、剥離ナイフ（２）とノーズバー（３）とを支持し、前記刃口が、前記剥離ナイフ（２）と前記ノーズバー（３）の長手軸心に対して実質的に平行に位置された回転軸心周りで作動し、これによって、前記鉋台（８）の位置に対する前記刃口部の角度位置が、ベニヤ剥離作業の進行に応じてこの回転軸心周りで可変であるものにおいて、
前記剥離ナイフ（２）に対する前記ノーズバー（３）の角度位置が、これらノーズバーと剥離ナイフとの間の角度（ｂ）を制御するために、剥離作業中において、前記剥離ナイフ（２）と前記ノーズバー（３）とで共通する前記回転軸心周りで変更可能に構成されていることを特徴とするベニヤレースの刃口部の刃口構造。
【請求項２】
前記角度（ｂ）を制御可能にするために、前記ナイフ保持部（６）に対する前記ノーズバー保持部（４）の角度位置が制御可能である請求項１に記載のベニヤレースの刃口部の刃口構造。
【請求項３】
前記ノーズバー保持部（４）における前記ノーズバー（３）の位置は、剥離作業中に制御可能である請求項１又は２に記載のベニヤレースの刃口部の刃口構造。
【発明の詳細な説明】
【０００１】
【発明の属する技術分野】
本発明は、ベニヤレースの刃口部の刃口構造に関する。刃口部は複数の鉋台を有し、その間にナイフ保持部とノーズバー保持部とを取り付けてある。前記ナイフ保持部は、ベニヤレースの剥離ナイフを保持し、前記ノーズバー保持部は、剥離中においてベニヤが分離される個所の近傍で丸木の外周を支持するノーズバーを支持している。これらナイフ保持部とノーズバー保持部と、それらによってそれぞれ支持される剥離ナイフとノーズバーとの組み合わせが前記ベニヤレースの刃口部の刃口構造を構成している。
【０００２】
【従来の技術】
従来、前記刃口構造を備える刃口部は、ベニヤレースにおいて、剥離作業の進行と同期される速度での刃口の送り移動を提供するために、剥離される丸木に対してトラックに沿って一体で移動するように構成される。更に、刃口部における刃口の位置は変更制御可能に構成される。この制御は、刃口の角度位置を、剥離ナイフとノーズバーの長手軸心に対して実質的に平行な回転軸心周りで可変にすることによって実現される。
【０００３】
一般に、「実質的に平行」という用語は、当該技術において、完全に平行であることを意味するが、実際の剥離状況によってはそれからの僅かな差異も許容可能である。
【０００４】
刃口のこのような角度位置制御によって、剥離作業中において丸木に対して剥離ナイフを正確に位置させることが可能となる。この制御構造において、剥離ナイフとノーズバーとは一体で回転するために、これらの刃口部材間の相対的角度位置は変化しない。
【０００５】
ノーズバーからの剥離ナイフの距離、所謂、刃口間距離（knife gap）を調節可能とすることも知られている。ここで、刃口間距離は、剥離されるベニヤの名目厚みよりも、丸木圧縮度と呼ばれる値だけ、狭く設定される。前記丸木圧縮度は、丸木の周部が剥離ナイフの切断作用を受ける直前において、丸木の周部上で移動するノーズバーによって丸木の表面が内径方向に圧縮される圧力を定義するものである。この丸木圧縮度は、丸木の異なる部分の剥離状況に応じて変化させることができる。もちろん、丸木の比較的軟質の部分の剥離には、その丸木の硬質な部分に必要な丸木圧縮度と異なる丸木圧縮度が必要である。剥離される丸木部分の弾性は、木材の種類に依存するものではあるが、一般的には、白材は赤味材よりも軟質である。しかしながら、ベニヤは、その逆の状況の木材種から剥離されることもある。従って、その木材の種類又は剥離される丸木の状態に応じて丸木圧縮度を変更するための手段を設けることが必要である。
【０００６】
更に、前記ノーズバーを、その支持面が剥離される丸木の周部上で滑走する所謂ソリッドノーズバー、あるいは、たとえば、丸木周部に沿って転動するように構成された小径のローラとすることができる所謂ローラ式ノーズバー、として構成することも知られている。ノーズバーによって付与される反力を変化させることによって、剥離から得られるベニヤの質に大きな影響を与えることができる。
【０００７】
【発明が解決しようとする課題】
ソリッドノーズバーを使用して剥離する時、ベニヤレースによって作られるベニヤの品質に関して大きな要因は、ノーズバーの面角であることが判っている。この面角は、ベニヤレースのゼロ位置、すなわち、ノーズバーがそれぞれその作業位置にセットされた状態で、刃口の剥離ナイフの先端が、ベニヤレースのスピンドルの中央軸心に合わせられた正確に水平面の高さにある位置における、ノーズバーの傾斜面の垂直平面からの傾斜として定義される。又、このノーズバーの傾斜角度は、剥離される木材の種類に応じて選択されなければならず、軟質の木材種には傾斜角度を小さくする必要がある、ということも知られている。ここで、ベニヤレースは、その傾斜角度が、意図する剥離作業のために実験的に最適化されたノーズバーを取り付けることによって木材種に対して設定される。尚、剥離作業を開始する前に、ノーズバー保持部のノーズバーの角度位置を最適設定することを可能にする構成も公知である。
【０００８】
【課題を解決するための手段】
上記実状を鑑み、本発明において、ベニヤの品質を向上させるために
ベニヤレースの刃口部の刃口構造であって、それらの間にナイフ保持部とノーズバー保持部とが取り付けられた鉋台を有し、前記両保持部がそれぞれ、剥離ナイフとノーズバーとを支持し、前記刃口が、前記剥離ナイフと前記ノーズバーの長手軸心に対して実質的に平行に位置された回転軸心周りで作動し、これによって、前記鉋台の位置に対する前記刃口部の角度位置を、ベニヤ剥離作業の進行に応じてこの回転軸心周りで可変とし、前記剥離ナイフに対する前記ノーズバーの角度位置が、これらノーズバーと剥離ナイフとの間の角度を制御するために、剥離作業中において、前記剥離ナイフ（２）と前記ノーズバー（３）とで共通する前記回転軸心周りで変更可能に構成されていることを特徴とする。
また、上述の構成に加えて、前記角度を制御可能にするために、前記ナイフ保持部に対する前記ノーズバー保持部の角度位置が制御可能としてもよい。
またさらに、前記ノーズバー保持部における前記ノーズバーの位置を剥離作業中に制御可能としてもよい。
【０００９】
〔作用効果〕
本発明に拠れば、剥離ナイフに対するノーズバーの角度位置を設定するための連続調節機能を備えることとなる。それによって、剥離作業中にノーズバーと剥離ナイフとの間の角度を変更可能とし、剥離ナイフとソリッドノーズバーとを備える刃口構造によるベニヤレースの性能が改善される。この構造において、ノーズバーの角度位置は、剥離ナイフの角度位置から独立して、設定、制御することができる。
【００１０】
【発明の実施の形態】
以下に本発明の実施の形態を図面に基づいて説明する。
図１を参照すると、ここにはベニヤレースの従来式刃口構造が概略図示され、剥離作業の開始時に、剥離される丸木の周りにその刃口部が取り付けられている。丸木１は、ベニヤレースに内蔵され、ここでは概略的にのみ図示されているスピンドルの長手中央軸心周りで回転するように配置されている。剥離作業の進行に同期して剥離作業中、前記刃口部は、鉋台８と刃口と共に、一体として、前記スピンドルに向かって移動可能である。前記刃口部は、新たな剥離対象の丸木をチャックするために、前記スピンドル中央軸心から外側へ引き出すことができる。刃口部の移動のために、前記ベニヤレース構造は、これらの移動を行うための、適当なピッチのレールと制御されるアクチュエータとを備えている。これらの付属部品は当業者に周知であるので、それ以上の説明は省略する。
【００１１】
前記鉋台８間に支持されている前記刃口部は、ナイフ保持部のヘッド９に取り付けられたナイフ保持部６と、このナイフ保持部６によって支持された剥離ナイフ２と、それぞれノーズバー３を支持するノーズバー保持部４とを有する。
ここに記載の実施例において、前記ノーズバー３は、剥離作業中に、摺動圧縮接触によって剥離される丸木１の表面を押し付ける所謂ソリッドノーズバーとして構成されている。
前記ノーズバー保持部４は、ナイフ保持部６に対してガイドレール５に沿って移動可能に構成されている。この機能は、実際の剥離作業が開始される前に、丸木１を正しく調節しなければならない剥離の初期状態中に、ノーズバーを引き出し、それを、丸木１から離しておくために必要である。ベニヤの剥離作業が実際に行われる時は、その保持部に取り付けられたノーズバー３を、剥離ナイフ２から適当な刃口間距離まで移動させる。ガイドレール５は、ナイフ２とノーズバー３との間の相対角度位置が一定に保たれるように、ナイフ保持部６に対するノーズバー保持部４の移動を制御する。
【００１２】
剥離作業が進行するにつれて、丸木１の径は縮小するので、剥離される丸木に対する剥離ナイフの位置が正確に保たれることが極めて重要となる。この機能を達成するために、前記ベニヤレースの刃口部は、前記刃口部が鉋台８上で揺動回転であるように構成されている。刃口部の回転軸心は、従来は、剥離ナイフ２とノーズバー３の長手軸心に対して平行に配置されていた。より具体的には、剥離ナイフ２の回転軸心は、剥離される丸木１の回転軸心に対して完全又はほぼ同心に設定されていた。本実施例においては、前記刃口の角度位置は、図面においてはアクチュエータシリンダによって例示されているアクチュエータ７によって制御される。剥離作業開始時における刃口の角度位置が図１に図示され、これに対して図２は、剥離作業の最終段階における刃口の角度位置を図示している。刃口のこの回転中において、刃口部の剥離ナイフ２とノーズバー３との間の相対的角度位置は一定である。
【００１３】
図３には、従来式ベニヤレースのベニヤ剥離作業の初期状態である剥離の所謂ゼロ位置に於ける、丸木１に対する剥離ナイフ２とノーズバー３との相対配置が概略図示されている。剥離ナイフ２の先端は、スピンドルの中心（丸木１の回転中心）を通過する水平面に一致されている。ノーズバー３を作動させて剥離される丸木１の表面をプレスすると、これによって、ノーズバー３の先端は、剥離ナイフ２の先端から設定刃口間距離だけ離間して配置される。前記ノーズバー３の面は、垂直平面に対して前記ゼロ位置において、図中文字ａによって示す面角を形成する傾斜表面を有するように研磨されている。この面角ａは、各木材種に対して実験によって選択され、その値は、通常、１５°〜２５°の範囲である。
【００１４】
丸木１に対する剥離ナイフ２とノーズバー３のゼロ位置が、図３の右側の図に示されており、ここでは、更に、ノーズバー３の前記傾斜面と剥離ナイフ２の裏面との間の角度も、文字ｂによって示されている。図１及び図２に図示されている剥離作業中、この角度ｂは、一定に保たれる。しかしながら、前記角度ａは、図１と図２の剥離状態を比較することによって明らかなように、剥離ナイフ２の位置調節によって決まる、剥離作業中における刃口部の回転に伴って増加する。残念ながら、この状態は、たとえば、丸木１の性質が白材と赤味材とで異なる場合のように、剥離されたベニヤの質の変化においてしばしば明らかなように、ノーズバーの最適性能を提供するものではない。
【００１５】
本発明に拠れば、この問題は、剥離作業中に、ノーズバー３に対する剥離ナイフ２の角度ｂを連続的に調節する機能を有する刃口部を備えるベニヤレースによって解決される。このような刃口構造によれば、剥離作業の全工程を通じて、ノーズバーの面角ａを所望の値に制御することが可能となる。従って、この角度ａは、一定値に維持されてもよいし、剥離作業の進行に伴って増加または減少するようにしてもよいし、更には、剥離ナイフ２の配置角度の異なる位置において可変的に増加又は減少するように設定することも可能である。更に、この角度変化は、連続的な変化にすることも、あるいは、小さな角度変化単位でインクレメント的に変化するものとすることも可能である。
【００１６】
ノーズバー３に対する剥離ナイフ２の角度ｂは、剥離結果に関して決定的な要因であるノーズバー３の面角ａを実際の剥離作業状態に応じて約５°〜３０°の範囲に設定可能であるような調節範囲を有するものとしなければならない。前述したように、面角ａの設定に関する目安は、軟質の木材に対しては、この角度を硬質の木材に対するよりも小さく設定することである。ここで、本発明によって提供されるこの角度調節機能によって、剥離作業中において、たとえば、その丸木の異なる径部分の木材の硬度の変化、等の要因を考慮に入れることが可能となる。
【００１７】
本発明の前記刃口部の実施例を備えた刃口構造が図４と図５に図示されている。この図示された刃口構造の重要な特徴は、ノーズバー３が取り付けられたノーズバー保持部４の角度位置が、剥離ナイフ２が取り付けられたナイフ保持部６の角度位置設定から独立して設定可能であることにある。その結果、ノーズバー３と剥離ナイフ２との間の角度ｂも自由に設定可能となる。
この角度ｂの設定機能を実現するために、前記ベニヤレースの鉋台８は、二部分に分かれた環状ベアリング１１を備え、ここで、このベアリング１１の一方の部分がナイフ保持部６を支持し、その他方の部分がノーズバー保持部４を支持する。
【００１８】
刃口部のノーズバー保持部４の角度位置の独立調節を実現するためには多数の均等な構造が考えられ、それらによって、前記制御を行うために使用されるノーズバー保持部４の支持点を、鉋台８上又はナイフ保持部４上に位置させることができる。
【００１９】
それに対応するノーズバー３の機能は、ノーズバー保持部４上に取り付けられたノーズバー３を、その角度位置に関して剥離作業中に調節可能とする刃口構造によって達成される。この目的のために、油圧シリンダ、ねじジャッキ、ウエッジ・アクチュエータ、偏心カム機構、等の種々のパワーアクチュエータによって、ノーズバー保持部４の位置に対するノーズバー３の角度位置の調節を可能にするさまざまな構成を利用して、ノーズバー３をノーズバー保持部４に取り付けることができる。そのような制御機構にも拘わらず、前記ノーズバー３は、剥離作業中に丸木１の周部上で摺動接触することによって特徴付けられることから、それでも、上述したソリッドノーズバーとして分類される。
【００２０】
尚、特許請求の範囲の項に図面との対照を便利にするために符号を記すが、該記入により本発明は添付図面の構成に限定されるものではない。
【図面の簡単な説明】
【図１】剥離作業を開始するために調節された刃口構造を備える従来のベニヤレースの刃口部の断面図
【図２】剥離作業の最後における図１のベニヤレースの刃口部の断面図
【図３】刃口部がベニヤレースの所謂ゼロ位置にある状態における、ベニヤレーススピンドルによって支持された丸木の略端面図
【図４】前記刃口部のナイフが第１相対位置に設定された状態の断面図
【図５】前記ナイフが第２相対位置に設定された状態での、図４の刃口部の断面図
【符号の説明】
２  剥離ナイフ
３  ノーズバー
４  ノーズバー保持部
６  ナイフ保持部
８  鉋台
【図１】
0003797967.tif 000002
【図２】
0003797967.tif 000003
【図３】
0003797967.tif 000004
【図４】
0003797967.tif 000005
【図５】
0003797967.tif 000006